(57)【要約】【課題】ホログラム素子を固定したフレキシブルプリント基板の派生部のヘッドベースへの取り付けに際し、この派生部の位置変位に伴う変形ストレスが発生しないようにし、バックラッシュによりホログラム素子が経時的に位置ズレすることなく、信頼性の高い光ピックアップ装置を提供する。【解決手段】ディスクトレイ１に装填した記録媒体Ｄを回転駆動するようにしたディスク装置における前記記録媒体Ｄの記録面に平行して半径方向に往復動し、情報の記録再生を司る光学系部品ならびに電気系部品を一体に組み込んだヘッドベース９を備え、該ヘッドベース９内の前記部品にフレキシブルプリント基板Ｐを配線接続するようにした光ピックアップ装置であり、前記フレキシブルプリント基板Ｐにおける光学系部品の位置調整部から延設された支持端Ｐ３との中間位置に弛緩部ＰＬを形成して変形ストレスを緩和することにより、前記光学系部品の位置調整に伴って発生するバックラッシュを防止するようにする。【選択図】      図１
2005056460.tif 000002
【特許請求の範囲】
【請求項１】
ディスクトレイに装填した記録媒体を回転駆動するようにしたディスク装置における前記記録媒体の記録面に平行して半径方向に往復動し、情報の記録再生を司る光学系部品ならびに電気系部品を一体に組み込んだヘッドベースを備え、該ヘッドベース内の前記部品にフレキシブルプリント基板を配線接続するようにした光ピックアップ装置であり、
前記フレキシブルプリント基板における光学系部品の位置調整部から延設された支持端との中間位置に弛緩部を形成して変形ストレスを緩和することにより、前記光学系部品の位置調整に伴って発生するバックラッシュを防止するようにしたことを特徴とする光ピックアップ装置。
【発明の詳細な説明】
【０００１】
【発明の属する技術分野】
本発明は、記録媒体として普及しているＣＤ（Ｃｏｍｐａｃｔ  Ｄｉｓｃ）あるいはＤＶＤ（Ｄｉｇｉｔａｌ  Ｖｅｒｓａｔｉｌｅ  Ｄｉｓｃ）などの光ディスクをドライブするディスク装置において、前記光ディスクの記録面に平行して半径方向に往復動し、情報の記録再生を行う光ピックアップ装置に関するものである。
【０００２】
【従来の技術】
一般にパーソナルコンピュータ（以下、パソコンという）などの機器本体には光ディスクをドライブするディスク装置が内蔵され、一体化されており、光ディスクによる情報の記録再生が行われる。図７はこのようなディスク装置を内蔵したノート型パソコンの外観を示すもので、通常、この場合のディスク装置は、スイッチ操作あるいはパソコン本体からの指令によりディスクトレイ１がポップアウトし、さらにパソコンの使用者がディスクトレイ１を引き出し、光ディスクＤを装填するようにしている。
【０００３】
図８は、特にノート型パソコンに多く採用されているディスク装置の外観を示すもので、同図に示すごとくディスクトレイ１の中央に、直下に配したスピンドルモータの駆動軸に固定されたターンテーブル２が配置され、このターンテーブル２で光ディスクＤの中心孔をクランプし、回転力を伝達するようにしている。
また、光ピックアップを主体に構成されたヘッドユニット３は、ディスクトレイ１に形成さけたスリット１ａ内を半径方向に移動し、光ディスクＤへの情報の記録再生を行うようにしている。そして、このように構成されているディスクトレイ１は、ガイドレール４に案内されてシャーシケース５内に収まる。
【０００４】
図９は、図８のディスク装置におけるディスクトレイ１の内部構造を示すもので、底面から裏板を取り外した状態を示す。同図において本発明の改良の対象とするハッチングで示す部分の光ピックアップ装置６は、ガイドシャフト７・８に案内され、駆動系ユニットＡの駆動力により往復動するように構成されている。
【０００５】
前記光ピックアップ装置６は、図１０に示すごとく、アルミダイキャストにより一体成形されたヘッドベース９を主体にして構成され、このヘッドベース９にはレンズユニット１０、プリズムユニット１１、ホログラム素子１３などの光学部品や電気部品が組み込まれている。発光源となるレーザダイオードを内蔵したホログラム素子１３は、図１１に示すごとくフレキシブルプリント基板（以下、ＦＰＣ基板という）Ｐの派生部Ｐ１にそのリードピンが半田付され、固定されている。
【０００６】
そして、ホログラム素子１３が固定されたＦＰＣ基板Ｐのヘッドベース９への配設において、ホログラム素子１３のヘッドベース９への取り付けは、その発光窓１３ａをヘッドベース９に形成した窓孔９ａに臨ませ、図１２に示すごとくシールドケース１４を背面からあてがい、このシールドケース１４を、一端がネジ１５によりヘッドベース９に固定される押さえ板１６により固定するようにしている。
【０００７】
このようにして取り付けられるホログラム素子１３は、その固定位置を取付時に微調整する必要がある。即ち、ヘッドベース９内では図１３（Ａ）に模式的に示すように、光ディスクＤを往復する光路が形成されるのであるが、この光路におけるレンズユニット１０、プリズムユニット１１、ホログラム素子１３はヘッドベース９に予め接着剤などにより固定されており、その位置を変更できない状態となっている。ところが、前記各ユニットの取り付けは、手作業などにより行われるため、光路上の正確な位置に固定することが困難であり、何等、調整が行われない場合は、ホログラム素子１３から出射したレーザビームが最終的にホログラム素子１３の正確な位置に入射しないこととなる。
【０００８】
そこで、ホログラム素子１３からのレーザビームの出射位置を微調整し、正確な光路が形成されるようにするため、図１２に示すごとく、シールドケース１４の通孔１４ａから調整具１７の先端１７ａを差し込み、ホログラム素子１３のヘッドベース９の窓孔９ａに対する位置を調整するようにしている。この調整は、例えば、ホログラム素子１３の電気的出力を監視しつつホログラム素子１３の位置調整を行い、所定の出力値に達したときネジ１５を緊締し、押さえ板１６の押圧力で定位置に固定するようにしている。
【０００９】
【発明が解決しようとする課題】
このように、従来のＣＤ−ＲＯＭ、ＣＤ−Ｒ／Ｗ、ＤＶＤ−ＲＯＭなどに採用されている光ピックアップ装置は、１個のホログラム素子が使用されていることから、これに関連する様々な電気部品、素子の数が比較的少なく、ＦＰＣ基板上での配置も容易で簡素な構成とすることができた。
【００１０】
しかしながら、近年、ＣＤ−Ｒ／Ｗ、ＤＶＤ−ＲＯＭを一体化したいわゆるコンボドライブが注目されるようになり、使用するレーザビームの波長が異なることから、図１３（Ｂ）に模式的に示すように、ＣＤ記録再生用のホログラム素子１２とＤＶＤ再生用のホログラム素子１３の２個のホログラム素子を必然的に必要とするようになった。そして、この２個のホログラム素子をヘッドベースの異なる部分に配設することとなり、また、ホログラム素子の増加に伴って電気部品、素子が増加する反面、ディスク装置自体のスリム化が要求されていることから、光ピックアップ装置もスリム化し、これに配設するＦＰＣ基板も複雑な形状となり、配線の引き回しが困難なことから、組み立て作業、即ち、ヘッドベースへのＦＰＣ基板の配設作業が困難となり、生産性に及ぼす影響が大きくなってきた。
【００１１】
このような問題を含むＦＰＣ基板の一例は、図１４の展開図に示すごとく、派生部Ｐ２を形成し、これにＣＤ用のホログラム素子を固定するようにしている。
そして、このように展開されているＦＰＣ基板Ｐを所定の位置で折曲してヘッドベースへ配設するのであるが、このとき、ヘッドベース内の電気部品、素子の端子とＦＰＣ基板の端子との微細で緻密な半田付作業があり、ＦＰＣ基板Ｐが安定した姿勢を保てるようにしなければならない。
【００１２】
そこで、試行錯誤の結果、図１４に示すごとくＦＰＣ基板Ｐの要所に支持端Ｐ３・Ｐ４を延設し、図１５に示すようにこの支持端をヘッドベース９に予め接着剤で固定することによりＦＰＣ基板Ｐをヘッドベース９に仮止めするようにした。そして、図１６に示すごとく、従来と同様にシールドケース１４を配し、押さえ板１６によりホログラム素子１３を定位置に固定するようにした。
【００１３】
このようにしてＦＰＣ基板Ｐをヘッドベース９に配設することにより、組立作業の能率を格段に向上することができ、生産性を向上することができたのであるが、予期しない問題が発生した。即ち、派生部Ｐ１と支持端Ｐ３との中間部は、図１４に示すごとく直線状に形成されているため、伸縮許容が全く得られず、調整具１７によりホログラム素子１３の位置調整を行った場合、例えば、図１７に示すようにホログラム素子１３を固定した派生部Ｐ１が同図の仮想線の位置に変位すると、派生部Ｐ１と支持端Ｐ３の間に変形ストレスによる引張力が発生してしまうことになる。
【００１４】
かかる状態でホログラム素子１３が固定されても、派生部Ｐ１を常に原位置へ復帰させようとするいわゆるバックラッシュの作用が包含された状態となり、これが原因となって経時的に派生部Ｐ１が位置ズレし、ホログラム素子１３からのレーザビームの発射位置が変位することとなり、これにより光路が変化して記録再生が不能となる重大な問題が発生することになる。また、派生部Ｐ１と支持端Ｐ３との間に距離的な余裕がないことから、ホログラム素子１３の固定位置の調整時に強引な力が働くと、ＦＰＣ基板を破損するなどの問題もあった。
【００１５】
本発明は、かかる従来の問題に鑑みなされたもので、ホログラム素子を固定したＦＰＣ基板の派生部に変形ストレスがかからないようにしたもので、経時的に光路の変化しない信頼性の高い光ピックアップ装置とすることを目的とするものである。
【００１６】
【課題を解決するための手段】
そこで本発明は、ディスクトレイに装填した記録媒体を回転駆動するようにしたディスク装置における前記記録媒体の記録面に平行して半径方向に往復動し、情報の記録再生を司る光学系部品ならびに電気系部品を一体に組み込んだヘッドベースを備え、該ヘッドベース内の前記部品にフレキシブルプリント基板を配線接続するようにした光ピックアップ装置であり、前記フレキシブルプリント基板における光学系部品の位置調整部から延設された支持端との中間位置に弛緩部を形成して変形ストレスを緩和することにより、前記光学系部品の位置調整に伴って発生するバックラッシュを防止するようにする。
【００１７】
【発明の実施の形態】
以下、本発明の実施の形態を図にもとづいて詳細に説明する。なお、実施例の説明において、従来と同一の構成部品については同一の符号を付してその説明を省略する。
【００１８】
図１は本発明の構成状態を示す図であり、同図のＦＰＣ基板Ｐの展開した状態を図２に示す。このＦＰＣ基板Ｐにはほぼ全面にプリン配線が緻密に施されており、ヘッドベース９に配設された電気部品、素子と半田付により電気的接続をするための端子部が所定の位置に形成されている。このＦＰＣ基板Ｐの派生部Ｐ１には、従来と同様にホログラム素子１３がそのリードピンの半田付により固定されており、また、派生部Ｐ２にはＣＤ用のホログラム素子１２が同様にリードピンの半田付により固定される。そして、前記ＦＰＣ基板Ｐの派生部Ｐ１と支持端Ｐ３との中間位置には蛇行形状の弛緩部ＰＬが形成されている。
【００１９】
つぎに、押さえ板１６は、従来と同様に一方の端部に打抜成形された座板部１６ａがネジ１５によりヘッドベース９に固定されるが、このとき、ヘッドベース９の突起９ｂと押さえ板１６の通孔１６ｂが嵌合し、正確に位置決めされ、図３に示すごとく組み立てを完成する。そして、この完成状態に至ると、前記弛緩部ＰＬはヘッドベース９と押さえ板１６との間に拘束されない状態で位置する。
【００２０】
このようにして本発明の光ピックアップ装置が完成し、ホログラム素子１３の位置調整を行う場合は、シールドケース１４の通孔１４ａから調整具１７の先端１７ａを差し込み、ホログラム素子１３のヘッドベース９の窓孔９ａに対する位置を調整する。このときホログラム素子１３を取り付けた派生部Ｐ１が、例えば、図４の仮想線で示す位置に変位したとすると、これに追従して弛緩部ＰＬが変形するため、派生部Ｐ１の変位に伴う変形ストレスが吸収され、これにより派生部Ｐ１が張力による影響、即ち、バックラッシュを受けることなく、経時的にも位置ズレが生じることのない安定した取付状態とすることができる。
【００２１】
図５は本発明の他の例を示すもので複数の蛇行により弛緩部ＰＬを形成したものであり、図６は弛緩部ＰＬを蛇腹状に形成し、弛緩性を向上するようにしたものである。
【００２２】
【発明の効果】
以上詳細に説明したごとく本発明によれば、ホログラム素子を固定したＦＰＣ基板の派生部のヘッドベースへの取り付けに際し、この派生部の位置変位に伴う変形ストレスが発生しないようにしたので、ホログラム素子が経時的に位置ズレすることなく、信頼性の高い光ピックアップ装置とすることができる。
【図面の簡単な説明】
【図１】本発明による光ピックアップ装置の構成状態を示す斜視図である。
【図２】本発明のＦＰＣ基板の展開図である。
【図３】本発明による光ピックアップ装置の完成状態を示す斜視図である。
【図４】本発明のＦＰＣ基板の形成状態の例を示す図である。
【図５】本発明のＦＰＣ基板の形成状態の他の例を示す図である。
【図６】本発明のＦＰＣ基板の形成状態のさらに他の例を示す図である。
【図７】ノート型パソコンの外観を示す斜視図である。
【図８】ディスク装置の外観を示す斜視図である。
【図９】ディスク装置の内部構造を示す底面図である。
【図１０】従来の光ピックアップ装置の構成を示す斜視図である。
【図１１】従来のＦＰＣ基板の展開図である。
【図１２】従来の光ピックアップ装置の完成状態の斜視図である。
【図１３】光ピックアップ装置における光路を説明するための模式図である。
【図１４】本発明が改良の対象とするＦＰＣ基板の展開図である。
【図１５】図１４のＦＰＣ基板を用いた光ピックアップ装置の構成を示す斜視図である。
【図１６】図１５の光ピックアップ装置の完成状態の斜視図である。
【図１７】図１４のＦＰＣ基板の不具合の発生状態を示す図である。
【符号の説明】
１・・・・・・ディスクトレイ
２・・・・・・ターンテーブル
３・・・・・・ヘッドユニット
４・・・・・・ガイドレール
５・・・・・・シャーシケース
６・・・・・・光ピックアップ装置
７・８・・・・ガイドシャフト
９・・・・・・ヘッドベース
１０・・・・・レンズユニット
１１・・・・・プリズムユニット
１２・・・・・ホログラム素子
１３・・・・・ホログラム素子
１４・・・・・シールドケース
１５・・・・・ネジ
１６・・・・・押さえ板
１７・・・・・調整具
Ｄ・・・・・・光ディスク
Ｐ・・・・・・フレキシブルプリント（ＦＰＣ）基板
Ｐ１・Ｐ２・・派生部
Ｐ３・Ｐ４・・支持端
ＰＬ・・・・・弛緩部
【図１】
2005056460.tif 000003
【図２】
2005056460.tif 000004
【図３】
2005056460.tif 000005
【図４】
2005056460.tif 000006
【図５】
2005056460.tif 000007
【図６】
2005056460.tif 000008
【図７】
2005056460.tif 000009
【図８】
2005056460.tif 000010
【図９】
2005056460.tif 000011
【図１０】
2005056460.tif 000012
【図１１】
2005056460.tif 000013
【図１２】
2005056460.tif 000014
【図１３】
2005056460.tif 000015
【図１４】
2005056460.tif 000016
【図１５】
2005056460.tif 000017
【図１６】
2005056460.tif 000018
【図１７】
2005056460.tif 000019